(57)【要約】【課題】装置全体の小型化を図りつつ、プリント部のメンテナンスの作業性を向上させること。【解決手段】筐体４の前側部分に操作部１を備え、メンテナンスのためにスキャナ部２が開かれたときに操作部１が下方に移動して、大きなメンテナンス作業空間が形成される。【選択図】図９
2017034601.tif 000002
【特許請求の範囲】
【請求項１】
プリント部と、前記プリント部の上方に備えられるスキャナ部と、装置本体の側面に備えられる操作部と、を有し、前記プリント部のメンテナンスのために、前記プリント部に対して前記スキャナ部を開けることが可能であるプリント装置であって、
前記スキャナ部を開けるのに伴って、前記操作部を動かす機構を有することを特徴とするプリント装置。
【請求項２】
前記スキャナ部を開けると、前記機構は前記操作部の上端を下方に移動させることを特徴とする、請求項１に記載のプリント装置。
【請求項３】
前記操作部は前記装置本体に対してチルトアップすることが可能であり、前記スキャナ部を開けると、前記機構は前記操作部をチルトアップさせることを特徴とする、請求項１または２に記載のプリント装置。
【請求項４】
装置の使用時に前記操作部をチルトアップさせた場合は、前記スキャナ部を開けると、前記機構は前記操作部をさらにチルトアップさせ、且つ、前記操作部の上端を下方に移動させることを特徴とする、請求項３に記載のプリント装置。
【請求項５】
前記プリント部のメンテナンスが必要になったときに、前記操作部は前記メンテナンスに関する表示を行うことを特徴とする、請求項１から４のいずれか１項に記載のプリント装置。
【請求項６】
前記メンテナンスは、前記プリント部でのジャム処理、プリントヘッドの交換、インクタンクの交換の少なくともいずれかであることを特徴とする、請求項５に記載のプリント装置。
【発明の詳細な説明】
【技術分野】
【０００１】
本発明は、プリント部とスキャナ部とを備えたプリント装置に関するものである。
【背景技術】
【０００２】
特許文献１には、装置本体にプリント部とスキャナ部を備えたプリント装置が記載されている。そのスキャナ部はプリント部の上方に配備されており、このスキャナ部を上方に回動させることにより、装置本体の前側に、プリント部のメンテナンスのための開口が形成される。ユーザは、この開口を通して、プリント部のメンテナンス作業を実施する。また、スキャナ部の前側部分には、ユーザによって操作される操作部が取り付けられている。
【先行技術文献】
【特許文献】
【０００３】
【特許文献１】特開２０１３−１５０２４７号公報
【発明の概要】
【発明が解決しようとする課題】
【０００４】
特許文献１に記載のプリント装置は、スキャナ部の前側部分に操作部が取り付けられているため、スキャナ部を上方に回動させてメンテナンスのための開口を形成したときに、その開口が操作部によって狭められてしまう。そのため、充分に大きな開口を確保するためには、スキャナ部を上方により大きく回動させなければならない。このようにスキャナ部の回動範囲を大きくした場合には、そのスキャナ部の保持機構の大型化、ひいてはプリント装置全体の大型化および高価格化を招くことになる。また、スキャナ部の保持機構は、スキャナ部に取り付けられる操作部の大型化に伴って、より大型化する。さらに、スキャナ部を上方に大きく回動させなければならないため、ユーザにとっての使い勝手も劣る。
【０００５】
また特許文献１には、装置内部へのアクセス性を向上させるために、スキャナ部に取り付けられる操作部を回動させる構成が記載されている。しかし、このような構成においては、スキャナ部を上方に回動させたときに操作部がユーザから視認しにくくなり、その操作部を用いてのメンテナンスの作業性の低下を招いてしまう。特に、その操作部にメンテナンス作業の手順を表示する場合には、ユーザがその表示内容を確認しつつメンテナンス作業を実施することができなくなる。
【０００６】
本発明の目的は、装置全体の小型化を図りつつ、プリント部のメンテナンスのための開口を充分に確保して、メンテナンスの作業性を向上させることができるプリント装置を提供することにある。
【課題を解決するための手段】
【０００７】
本発明のプリント装置は、プリント部と、前記プリント部の上方に備えられるスキャナ部と、装置本体の側面に備えられる操作部と、を有し、前記プリント部のメンテナンスのために、前記プリント部に対して前記スキャナ部を開けることが可能であるプリント装置であって、前記スキャナ部を開けるのに伴って、前記操作部を動かす機構を有することを特徴とする。
【発明の効果】
【０００８】
本発明によれば、装置本体の側面に操作部を備え、スキャナ部を開けるのに伴って操作部を動かすことにより、操作部の保持機構の小型化、ひいては装置全体の小型化および低価格化を図りつつ、プリント部のメンテナンスの作業性を向上させることができる。
【図面の簡単な説明】
【０００９】
【図１】本発明の第１の実施形態におけるプリント装置の外観斜視図である。
【図２】図１のプリント装置の異なる状態の外観斜視図である。
【図３】図１における操作部の要部の斜視図である。
【図４】図３の操作部および周辺部分の斜視図である。
【図５】操作部の動作を説明するための斜視図である。
【図６】操作部の動作を説明するための斜視図である。
【図７】図１のプリント装置の断面図である。
【図８】スキャナ部の動作を説明するための断面図である。
【図９】スキャナ部の動作を説明するための断面図である。
【図１０】比較例としてのプリント装置の断面図である。
【図１１】本発明の第２の実施形態におけるプリント装置の斜視図である。
【図１２】図１１における操作部の斜視図である。
【図１３】図１１のプリント装置の前側部分の断面図である。
【図１４】図１１における操作部の動作を説明するための断面図である。
【図１５】図１１における操作部の動作を説明するための断面図である。
【図１６】本発明の第３の実施形態におけるプリント装置の斜視図である。
【図１７】図１６のプリント装置のインクタンク交換時における斜視図である。
【図１８】図１６のプリント装置の断面図である。
【図１９】図１６における操作部の動作を説明するための断面図である。
【図２０】図１６における操作部の動作を説明するための断面図である。
【図２１】図１６における操作部の斜視図である。
【図２２】図１６における操作部の動作を説明するための斜視図である。
【発明を実施するための形態】
【００１０】
以下、本発明の実施形態を図面に基づいて説明する。
【００１１】
（第１の実施形態）
本発明の第１の実施形態として、プリンタ部とスキャナ部とを一体的に備えたプリント装置（複合機）について説明する。図１（ａ）は、本実施形態におけるプリント装置の外観斜視図である。
【００１２】
本例のプリント装置には、操作部１、スキャナ部（スキャナユニット）２、プリント部（プリントユニット）３（図２（ｂ）参照）、および制御部（プリント装置の筐体内部に設けられた制御回路基板）が備えられている。ユーザは、プリン装置の使用時に、図１（ａ）中の矢印Ａ方向からプリント装置と向き合う。本明細書では、使用環境に設置されたプリント装置に関して、ユーザと向き合う側を手前（前側）、その反対側を奥（後側）、重力方向の上側を上、その下側を下と定義する。
【００１３】
操作部１（操作パネル）は、スキャナ部２よりも手前に設けられている。操作部１の表面のパネルには、ＬＣＤやＯＬＥＤなどの表示器（表示部）１１、および複数の入力キー１２が設けられている。入力キー１２は、カラーコピースタートキー、モノクロコピースタートキー、ストップキー、矢印キー、電源ボタンなどを含む。本例においては、入力キー１２として静電式または感圧式のタッチスイッチのキーが備えられている。表示器１１の表示面がタッチパネルの場合には、入力キー１２の少なくとも一部の代わりに、そのタッチパネルから入力することができる。操作部１はチルトアップすることが可能であり、パネルのチルト角度は、矢印Ａの方向から操作するユーザの視認性および操作性を高めるために、ユーザの好みに合わせて、図１（ｂ）および図２（ａ）のように数段階に選択可能である。
【００１４】
図３は、プリント装置から抜き出した操作部１の周辺部品の斜視図である。具体的に、図３は、図４（ａ）のような操作部１、上リンク５、および下リンク６と、図４（ｂ）のようなプリント装置の筐体（装置本体）４の一部分４ａと、をプリント装置から抜き出した斜視図である。
【００１５】
操作部１は、上リンク５と下リンク６とによって、筐体４の前側部分に支持されている。上リンク５は、支持部５ｂを支点として操作部１の上側部分に対して回動可能であり、下リンク６は、支持部６ｂを支点として操作部の下側部分に対して回動可能である。図３のように、上リンク５は左右のそれぞれに備わる左右対称の２部品であり、下リンク６は、左右対称形状の１部品からなる。上リンク５の回動中心部５ａは、筺体４に設けられた軸受を中心として回動可能であり、下リンク６の下端支持部６ａは、筺体４の一部分に設けられた溝４ｂに内に位置するように構成されている。溝４ｂは、図４（ｂ）のように多段の溝部４１から４５を含み、これらの溝部内に下リンク６の下端支持部６ａが選択的にはめ合わせられるように構成されている。
【００１６】
ユーザが操作部１の下部を摘んで手前に持ち上げると操作部１がチルトアップして、下リンク６の下端支持部６ａを溝部４２から４５の内の任意の１つにはめ合わせることができる。図５（ａ），図５（ｂ），図６（ａ）は、それぞれ、下リンク６の下端支持部６ａを溝部４２，４３，４４にはめ合わせたときの斜視図である。操作部１は、図３のように下端支持部６ａが溝部４１にはめ合わされているときには傾斜しない回動位置Ｐ０にあり、図５（ａ），図５（ｂ），図６（ａ）の回動位置Ｐ１，Ｐ２，Ｐ３において傾斜角度が変化する。下端支持部６ａがはまり合う溝部が上方にずれるほど、操作部１は水平に近い姿勢となる。図６（ｂ）は、回動位置Ｐ１，Ｐ２，Ｐ３の操作部１を重ねた表示した斜視図である。このように、操作部１を好みに近い角度にチルトさせることができる。上リンク５において、支持部５ｂと反対側の端部５ｃは、後述するように、操作部１が垂直状態で筺体４に収納されたときに、スキャナ部２の底面に接触するように構成されている。
【００１７】
図１および図２のように、本例のスキャナ部２はフラットベッド型のスキャナであり、原稿を置くための原稿台（透明ガラス板）を押圧カバー２ａ（原稿圧板）によって押さえるようになっている。原稿台の内部には、光学的に原稿を読み取るためのセンサおよびキャリッジを含むスキャナ部が設けられている。押圧カバー２ａは、プリント装置の奥側の２カ所のヒンジ２ｂを回転中心にして、原稿台に対して開閉可能である。なお、スキャナ部２は、押圧カバー２ａに代えて、複数の原稿を原稿台の上に自動給送するシートフィーダを備える構成であってもよい。この場合、シートフィーダは、ヒンジによって原稿台に対して開閉可能とする。スキャナ部２は、図７から図９のように、プリント装置の後方の支軸を中心として回動可能に構成されている。またスキャナ部２には、フリーストップ可能なヒンジ部材２２（図２（ｂ）参照）が備えられている。ユーザは、プリント装置の側面に設けられた手掛かり部２１からスキャナ部２を上方に持ち上げることができ、ユーザが手を離したときには、ヒンジ部材２２によって、スキャナ部２をその位置に停止させることができる。
【００１８】
次に、図７を用いてプリント部３について説明する。プリント部３には、プリント用紙等のシート（プリント媒体）を矢印Ｂ方向から給紙する第１給紙部４０と、シートを矢印Ｃ方向から給紙する第２給紙部５０と、の２つの給紙部が設けられている。第１給紙部４０は、スキャナ部２よりも奥側に配されており、第２給紙部５０はプリント装置の底部近傍に配されている。
【００１９】
第１給紙部４０は、プリント部３の上面から斜め上方へ起立あるいは引き出される不図示の給紙トレイが備えられており、この給紙トレイにプリント用紙等のシートがセット（積載）される。給紙トレイ４１に積載されたシートは、搬送機構によって、プリント部３へ給送されてから、プリント部３のプリントヘッド３１と対向するプリント開始位置へ搬送される。本例のプリントヘッド３１は、キャリッジ３２に搭載されている。そのキャリッジ３２は、シートの搬送方向と交差（本例の場合は、直交）する方向に延在するガイドに沿って、主走査方向（図７中の紙面の表裏方向）に往復移動可能にガイドされている。
【００２０】
プリントの作開始指令に基づいて、プリントヘッド３１の主走査方向の移動に同期した１ライン分のプリントと、シートの所定ピッチの搬送と、を交互に繰り返すことにより、シートに画像がプリントされる。画像がプリントされたシートは、排紙ローラ３３と拍車のニップ部との間に挟持されつつ、プリント装置本体の外へ搬送されて、排紙トレイ３４へ排出される。図７において、排紙トレイ３４は収納された状態にあり、それを引き出すことにより、その上に長尺のシートを保持することができる。
【００２１】
本実施形態におけるプリント部３は、プリントヘッド３１からシートへインクを吐出することによって画像をプリント可能なインクジェットプリントユニットを構成する。また、プリントヘッド３１は、画像情報に基づいて、複数の吐出口から選択的にインク滴を吐出して画像をプリントするインクジェット方式のものである。より具体的には、電気熱変換素子（ヒータ）やピエゾ素子などの吐出エネルギー発生素子を用いて、吐出口からインク滴を吐出する構成となっている。このプリントヘッド３１は、インクタンクと一体の交換式のヘッドカートリッジを構成するものであってもよく、図９（ｂ）のように交換可能なインクタンク３５が着脱自在に取り付けられる構成であってもよい。本実施形態のプリント装置は、交換可能なインクタンク３５を用いる構成となっている。本実施形態のプリントヘッド３１は、そのインクタンク内のインクを吐出可能なインクジェットプリントヘッドである。
【００２２】
図７において、プリント部３の底部近傍に配された第２給紙部５０には、プリント部３の手前側から着脱可能な給紙カセット５１が備えられている。給紙カセット５１上に積載されたシートは、給紙ローラ５２の回転駆動により、Ｕターン搬送経路５３において表裏面が反転されてから、プリント部３のプリントヘッド３１と対向するプリント開始位置へ搬送される。第１給紙部４０からの給送されたシートと同様に、Ｕターン搬送経路５３から搬送されたシートに対してもプリントの開始指令に基づいて画像がプリントされる。すなわち、プリントヘッド３１の主走査方向の移動に同期した１ライン分の画像のプリントと、シートの所定ピッチの搬送（紙送り）と、を交互に繰り返すことにより、シートに画像がプリントされる。画像がプリントされたシートは、排紙ローラ３３と拍車のニップ部に挟持されつつプリント装置本体の外へ搬送されて、排紙トレイ３４へ排出される。
【００２３】
次に、ユーザがスキャナ部２を開放する動作をより詳しく説明する。図７は、プリント装置を側方から見た断面図であり、図８（ａ），図８（ｂ），図９（ａ），図９（ｂ）は、その開放動作を時系列的に説明するための断面図である。
【００２４】
まずユーザは、スキャナ部２を図７の状態から図８（ａ）の開状態とするために、手掛かり部２１からスキャナ部２を上方に持ち上げる。図８（ａ）は、スキャナ部２を約２度持ち上げた状態を示す断面図である。上リンク５の端部５ｃは、スキャナ部２が上方に移動させられたときに、操作部１の自重によりスキャナ部２の底面に沿うように、回動中心部５ａを中心として矢印Ｄの時計方向に回動する。これにより操作部１は、図８（ｂ）のように、上リンク５の支持部５ｂと下リンク６の支持部６ｂの移動軌跡上において支持されながら、傾斜角度θを徐々に大きくするように移動する。つまり、操作部１は、上向きに傾斜されつつ下方に移動される。
【００２５】
図２（ａ）および図８（ｂ）は、スキャナ部２を約３度持ち上げた状態を示し、図２（ｂ）および図９（ａ）はスキャナ部２を約２０度持ち上げた状態を示す。これらの図から明らかなように、スキャナ部２の開放の角度が大きくなるにつれて、操作部１の傾斜角度θが大きくなる。スキャナ部２が約４度以上開放されたときに、上リンク５の一部が筺体４の不図示の当接部に当接することにより、その上リンク５の回転が停止され、操作部１の移動も停止される。
【００２６】
このようにして、スキャナ部２と操作部１が図２（ｂ）および図９（ｂ）の状態に移行することにより、プリント部３のメンテナンスに利用する開口Ｓが充分に大きく現れる。すなわち、その開口Ｓの開口範囲（視野角度）αを充分に大きく形成可能である。プリント装置には、スキャナ部２が図２（ｂ）および図９（ｂ）のように開放されたことを検知するセンサが備えられており、これによりプリント装置は、ユーザがインクタンクの交換やシートのジャム処理をしようとしていることを認識することができる。プリント装置は、このようにスキャナ部２が開放されたときに、図２（ｂ）のように、インクタンク３５を搭載したプリントヘッド３１が開口Ｓの近傍まで自動的に移動させて、ユーザによるインクタンク交換の準備を整える。
【００２７】
このように、スキャナ部２の開放させる動作に連動して、操作部１が傾斜を増しながら下方に移動して、開口範囲αが充分に大きい開口Ｓが形成される。ユーザは、その大きく開いた開口Ｓ（メンテナンス作業空間）を通して、インクタンクの交換やシートのジャム処理を容易に実行することができる。また、その開口Ｓを通して装置内部もより見やすくなるのでメンテナンスの操作性が向上する。また、スキャナ部２を開く前に、図５および図６のように操作部１がチルトアップされている場合には、スキャナ部２を開けることによって、その操作部１がさらにチルトアップされつつ、その操作部１の上端が下方に移動されることになる。ユーザは、チルトアップした操作部の表示を見ながらメンテナンスを行うことができる。
【００２８】
例えば、インクタンクを交換する際には、ユーザは、図９（ｂ）のように解放されたスキャナ部２と、下方に移動されかつ傾斜された操作部１と、の間の開口空間内に手を差し込んでから、インクタンク３５を斜め前方に引き抜く。その後、交換用の新しいインクタンクをプリントヘッド３１に装着して、スキャナ部２を図１（ａ）および図７のような元の位置に戻すことにより、インクの交換作業が終了する。仮に、図１０のように操作部１が移動しなかった場合、スキャナ部２と操作部１との間の開口Ｓの開口範囲βは、図９（ｂ）における開口範囲αよりも小さくなる。したがって、このように操作部１が移動しない構成において、開口範囲βを大きくして開口範囲αとするためには、それらの差分だけ、スキャナ部２の開放角度をより大きくする必要がある。その場合には、開放角度の大きいスキャナ部２を保持するための保持機構の大型化、ひいてはプリント装置全体の大型化および高価格化を招くことになり、またスキャナ部２を大きく開く必要があるため、ユーザにとって使い勝手も劣る。
【００２９】
また、操作部１の備わる表示器１１は、インクタンク交換等のメンテナンス作業のガイド画面を表示可能である。本実施形態のように操作部１が表示器１１と共に傾斜することにより、ユーザは、表示器１１表示されているインクタンク交換等のガイド画面を目視しやすくなる。より具体的には、交換が必要なインクタンク、およびインクタンクを交換するための作業手順などを表示器１１に表示することにより、ユーザは、それを目視しながら作業を行うことができる。このように、ユーザの便宜を図ることもできる。
【００３０】
ユーザは、開口Ｓからプリント装置内部のプリント部３にアクセスして、種々のメンテナンス作業を行なうことができる。プリントヘッド３１を交換する場合には、図示しないプリントヘッド交換用レバーを解除することにより、プリントヘッド３１を取り外すことができる。ユーザは、このようなプリントヘッド交換用レバーに対するアクセスも容易である。また、メンテナンス作業としては、インクタンク３５やプリントヘッド３１の交換作業以外に、シートのジャム処理作業もある。そのジャム処理は、プリント動作中にプリント媒体としてのシートにジャムが生じて、それが詰まった場合に、その詰まったシートをユーザが取り除く処理である。プリント装置は、このようなジャムを検知したときに、そのジャムが発生した位置、およびジャム処理に必要な操作手順などを表示器１１に表示することにより、ユーザの便宜を図ることができる。また、図９（ａ）の開放状態のスキャナ部２を下方に移動させることにより、スキャナ部２を上方に移動させたときとは逆の方向に上リンク５が回動して、操作部１が図７の状態に戻る。
【００３１】
また、操作部１の配備位置は、図７のようにスキャナ部２の前方のみに限定されず、例えば、スキャナ部２の前端部の下部に配備してもよい。この場合には、操作部１の面積は小さくなるものの、プリント装置の前後長さを小さくして、プリント装置をコンパクトに構成することができる。また、本実施形態においては、図８（ａ），（ｂ）および図８（ａ）のように、操作部１をチルトアップさせながら下方に移動させるように構成した。しかし、操作部１を前方に略平行に移動させて、開口空間を拡大させるように構成してもよい。また、操作部１をチルトアップさせながら前方に移動させるように構成してもよい。
【００３２】
（第２の実施形態）
操作部１を移動させる移動機構は、前述した第１の実施形態のようなリンク機構を用いる構成のみに限定されない。本実施形態においては、スキャナ部２と操作部１を連結する駆動列を用いて、操作部１を移動させる。
【００３３】
図１１は、本実施形態のプリント装置を側方から見た斜視図、図１２は、そのプリント装置の操作部１を前方から見た斜視図である。図１３から図１５は、操作部１の移動動作を時系列的に説明するための要部の断面図である。図１１および図１５は、スキャナ部２が最大に開放された状態を表し、図１２は、スキャナ部２が閉じられているときに、操作部１をチルトアップさせた状態を表す。
【００３４】
操作部１には、ユーザの視認性および操作性を高めるために、ユーザの好みに合わせて傾斜量が調節できるように構成されている。スキャナ部２に取り付けられたヒンジ部材２２の片側（図１３中の左側）には、ラックギア２２ａが設けられている。そのラックギア２２ａは、それに噛み合うギアを含む駆動列によって、ラックギア６７に連結されている。ラックギア６７は上下方向に移動可能であり、その上部には、操作部１が回動可能に軸支されている。具体的には、ピニオンギア６１、２段ギア/プーリ６２、タイミングベルト６３、２段プーリ６４、タイミングベルト６５、および２段プーリ/ギア６６を含む。図１１のように、２段ギア/プーリ６２にはギア部６２ａとプーリ部６２ｂとが設けられ、また２段プーリ６４にはプーリ部６４ａ，６４ｂが設けられており、それらのプーリ部６２ｂとプーリ部６４ａとの間にタイミングベルト６３が掛け渡されている。２段プーリ/ギア６６にはプーリ部６６ａとギア部６６ｂとが設けられており、プーリ部６４ｂとプーリ部６６ａとの間にタイミングベルト６５が掛け渡されている。ギア部６６ｂはラックギア６７に噛み合わされている。
【００３５】
図１２のように、操作部１の下面１２は傾斜しており、筺体４の左右の２箇所には、三角形状のガイドリブ４６が設けられている。図１３は、スキャナ部２が閉じた状態を示し、同図のように操作部１も閉じられているときには、操作部１の下面１２とガイドリブ４６は近接してはいるものの、接触はしていない。ユーザは、プリント装置の側面に設けられた手掛かり部２１から、スキャナ部２を上方に持ち上げることができ、ユーザが手を離したときにも、スキャナ部２をその位置に停止させることができる。
【００３６】
図１４は、スキャナ部２を矢印Ｅ方向に約８度持ち上げた状態を表し、スキャナ部２と共にラックギア２２が上昇することによって駆動列が回転する。すなわち、ピニオンギア６１、２段ギア/プーリ６２、２段プーリ６４、および２段プーリ/ギア６６がそれぞれ矢印Ｆ，Ｇ，Ｈ，Ｉ方向に回転する。この結果、ラックギア６７が矢印Ｊの下方に移動され、このラックギア６７に軸支された操作部１も下降し、操作部１の下面１２がガイドリブ４６に接触して、操作部１が斜め下方の矢印Ｋ方向にガイドされてチルトアップを始める。図１５は、スキャナ部２を矢印Ｅ方向に約２０度持ち上げた状態を表し、ラックギア２２のさらなる上昇によって、ラックギア６７はさらに矢印Ｊの下方に移動され、このラックギア６７に軸支された操作部１もさらに下降する。また、操作部１をさらに矢印Ｌ方向に回動させることにより、ユーザの好みに合わせて操作部１の傾斜量を調節することができる。
【００３７】
このように、スキャナ部２の開放に連動して操作部１が下方に移動するため、ユーザは、操作部１とスキャナ部２との間に形成された大きい開口Ｓを通して、インクタンクに容易にアクセスすることができる。また、開口Ｓを通してのユーザの視野が広がるため、操作性も向上する。また、図１５の開放状態のスキャナ部２を矢印Ｅと反対の下方に移動させることにより、スキャナ部２を矢印Ｅに移動させたときとは逆の方向に駆動列が回転して、操作部１が図１３の状態に戻る。
【００３８】
操作部１を移動させる機構は、本例のように駆動列を用いる構成のみに限定されない。例えば、スキャナ部２の開閉を検知するスイッチを備え、そのスイッチがスキャナ部２の開きを検知したときに、不図示の駆動源から駆動力によって、操作部1をチルトアップさせながら下方に移動させるように構成してもよい。また、スキャナ部２の開放は、ユーザの手動による他、不図示の駆動源からの駆動力によって自動的に行ってもよい。例えば、操作部１等に設けられたスキャナ開放スイッチがユーザによって操作されたときに、不図示の駆動源からの駆動力によって、スキャナ部２と操作部１の移動を開始させてもよい。
【００３９】
（第３の実施形態）
本実施形態のプリント装置は、インクタンク交換に関する部分以外の構成は、前述した第２の実施形態と同様であるため、第２の実施形態と同様の部分についての説明は省略する。本実施形態のプリント装置の外観斜視図は、第１および第２の実施形態における図１（ａ）と同じである。図１８は、プリント装置の断面図であり、図１９は、スキャナ部２と操作部１を開放した状態を示す断面図である。
【００４０】
本例におけるプリントヘッド３１は、図２０のように、交換可能なインクタンク３５がプリント装置の正面から略水平方向に着脱自在に取り付けられるように構成されている。操作部１のパネルは、矢印Ａ方向からのユーザの視認性および操作性を高めるために、ユーザの好みに合わせて傾斜角度が調節可能である。
【００４１】
図２１（ａ），（ｂ）は、操作部１の周辺部分のみを抜き出した斜視図である。具体的には、操作部１の周辺部分として、操作部１の両側を保持する左右の保持部材７と、それぞれの保持部材７を上方に押圧する左右の圧縮ばね８と、筐体４の一部と、が抜き出されている。保持部材７の上端部には、操作部１をチルトアップ可能に支持するチルトヒンジが内蔵されている。保持部材７は、筺体４に形成された上下方向の溝４ｃ内に上下動自在に収納されており、圧縮ばね８によって上方に付勢されている。その付勢力は、操作部１の重量に抗して、それを持ち上げることができる大きさに設定されている。また操作部１は、それが所定位置を越えて上昇しないように、その移動範囲の最上方位置が不図示のストッパによって規制されている。
【００４２】
図２２（ａ）は、操作部１が最上方位置まで上昇されて、それがチルトヒンジによって傾斜量が調整された状態を示す。保持部材７の後方には、図２１（ｂ）のように突起部７ａが設けられており、その突起部７ａは、図２２（ｂ）のように、その上面にスキャナ部２の底面が載るように構成されている。スキャナ部２が筺体４に対して閉じられているとき、図２２（ｂ）のようにスキャナ部２の底面が突起部７ａの上面に載ることにより、圧縮ばね８の力に抗して保持部材７が最下方位置まで押し下げられる。これにより、操作部１も最下方位置で下げられることになる。
【００４３】
次に、ユーザがスキャナ部２を開放する動作について説明する。
【００４４】
ユーザは、スキャナ部２を図１８のような閉状態から図１９のような開放状態にするために、手掛かり部２１からスキャナ部２を持ち上げる。図１６，図１７，図１９は、スキャナ部２を約２０度持ち上げた状態を表す。このようなスキャナ部２の上動に応じて、操作部１は、圧縮ばね８の力により上方に移動され。スキャナ部２が約８度以上開放されたときに、不図示のストッパにより操作部１が最上方位置にて停止される。また、スキャナ部２の上動に連動して、ミストカバー３６が図１８の閉位置から図１９の開位置に移動する。閉位置のミストカバー３６は、プリントヘッド３１のインク吐出に伴って発生するインクミストがプリント装置の前方等へ飛散することを防止する。スキャナ部２の上動に伴って、ミストカバー３６は、インクタンクの交換やジャム処理の邪魔とならない開位置に移動する。
【００４５】
その後、ユーザが操作部１の傾斜量を調整することにより、図１６，図１７，図１９のように、プリント部３のメンテナンス（インクタンク３５の交換を含む）のための、開口範囲γが充分に大きい開口Ｓ１を確保することができる。プリント装置には、スキャナ部２が開放されたことを検知する不図示のセンサが備えられており、そのセンサの検知結果に基づいて、ユーザがインクタンクの交換やジャム処理をしようとしていることを認識する。プリント装置は、図１７のように、インクタンク３５を開口Ｓ１の左右方向の中央付近に位置させるように、インクタンク３５が搭載されたプリントヘッド３１を自動的に移動させて、ユーザによるインクタンク交換の準備をする。
【００４６】
このように、スキャナ部２の回動に連動して操作部１が上方に移動することにより、充分に大きな開口Ｓ１を確保することができ、その開口Ｓ１を通してのインクタンク３５のアクセスが容易となる。また、開口Ｓ１を通してのユーザの視野が広がり、操作性も向上する。
【００４７】
図２０のように、上方に移動した操作部１と、排紙トレイ３４と、の間に開口空間が形成されるため、ユーザは、その開口空間内に手を差し込んでインクタンク３５を水平方向の前方に引き抜くことができる。その後、交換用の新しいインクタンク３５をプリントヘッド３１に装着してから、スキャナ部２を閉める。これにより、スキャナ部２の底面が突起部７ａの上面に載り、保持部材７と、それに支持された操作部１が最下位置まで移動して、メンテナンス作業が終了する。
【００４８】
操作部１を移動させる構成は、本実施形態のように圧縮ばね８を用いる構成のみに限定されない。例えば、スキャナ部２の開閉を検知するスイッチを備え、そのスイッチがスキャナ部２の開動を検知したときに、不図示の駆動源の駆動力によって、操作部1を上方に移動させるように構成してもよい。この場合、その不図示の駆動源の駆動力によって、図２０のような略水平姿勢となるまで操作部１をチルトアップさせるように構成してもよい。
【００４９】
また、スキャナ部２の開放および操作部1の移動方法は、本実施形態のようにユーザの手動によって行う方法のみに限定されない。例えば、操作部１等にスキャナ部開放用のスイッチを備え、そのスイッチをユーザが操作することにより、不図示の駆動源の駆動力によって、スキャナ部２と操作部１の移動を開始させるようにしてもよい。また、ミストカバー３６は、本実施形態のようにユーザによるスキャナ部２の手動に連動して開閉する構成のみに限定されず、例えば、不図示の駆動源の駆動力によって開閉される構成であってもよい。
【符号の説明】
【００５０】
１  操作部
２  スキャナ部
３  プリント部
５  上リンク
６  下リンク
Ｓ  開口
【図１】
2017034601.tif 000003
【図２】
2017034601.tif 000004
【図３】
2017034601.tif 000005
【図４】
2017034601.tif 000006
【図５】
2017034601.tif 000007
【図６】
2017034601.tif 000008
【図７】
2017034601.tif 000009
【図８】
2017034601.tif 000010
【図９】
2017034601.tif 000011
【図１０】
2017034601.tif 000012
【図１１】
2017034601.tif 000013
【図１２】
2017034601.tif 000014
【図１３】
2017034601.tif 000015
【図１４】
2017034601.tif 000016
【図１５】
2017034601.tif 000017
【図１６】
2017034601.tif 000018
【図１７】
2017034601.tif 000019
【図１８】
2017034601.tif 000020
【図１９】
2017034601.tif 000021
【図２０】
2017034601.tif 000022
【図２１】
2017034601.tif 000023
【図２２】
2017034601.tif 000024